(57)【特許請求の範囲】
【請求項１】
上面開放形ケース本体の開口部にスライド扉を備えた平形ショーケースであって、前記スライド扉はその左右両サイドにガイドローラを備え、緩やかな前傾勾配を付けてケース本の上面開口部に敷設したガイドレールに沿って自閉可能に案内支持するとともに、スライド扉の後端に掛け止めしたワイヤを本体ケースの背面側に引き回してカウンターウエイトを吊り下げたものにおいて、前記カウンターウエイトの昇降経路の途中に着地ストッパを設けた上で、カウンターウエイトとスライド扉との間に張架したワイヤの実効長さを、スライド扉の閉行程の前半域ではワイヤに弛みをもたせてスライド扉にカウンターウエイトの制動荷重が掛からないような長さに調整し、スライド扉の後端部にカウンターウエイトとの間に張架したワイヤの実効長さを可変調整するために、スライド扉の後端縁にワイヤを通す案内具，および左右に位置を変えてワイヤの先端を掛止するワイヤ掛止具を備え、ワイヤの掛止位置を選択してワイヤの実効長さを調整することを特徴とする平形ショーケース。
【発明の詳細な説明】
【技術分野】
【０００１】
本発明は、ケース本体の上面開口部にスライド扉を備えた扉付き平形ショーケースに関し、詳しくはスライド扉の案内支持構造に係わる。
【背景技術】
【０００２】
コンビニエンスストアなどの店舗に設置して冷凍食品（アイスクリームなど）を販売するフリーザータイプのショーケースは一般に扉を備えており、平形ショーケースではケース本体の上面開口部にスライド式の扉を装備し、客はこのスライド扉を開いて庫内の商品を取り出すようにしている。
次に、平形ショーケースの上にリーチイン形ショーケースを組合せたペアフリーザーを例に、その構成を図４に示す。図において、１は平形ショーケース、２は平形ショーケースの上に構築したリーチイン形ショーケースであり、平形ショーケース１は上面開放形ケース本体の外箱１１と内箱１２との間に画成した冷気循環ダクトに冷却器（冷凍機のエバポレータ）１３、庫内ファン１４を配して庫内に冷気を循環送風するようにし、またケース本体の上面開口部にはスライド扉１５を装備している。
【０００３】
ここで、スライド扉１５はその扉フレームの左右両サイドにガイドローラを備え、緩やかな前傾勾配を付けてケース本の上面開口部に敷設したガイドレールに沿って前後方向へ移動可能に案内支持し、スライド扉１５を閉じる際には力を加えなくても扉が自重で閉位置に向けてガイドレールの勾配に沿って移動（自閉）するようにしている。なお、図面には表してないが、前記ガイドレールの前後両端部には凹溝を形成しておき、このレール凹溝にスライド扉１５のガイドロールを落とし込んでスライド扉１５を全開，全閉位置に保持するようにしている。
また、上記のスライド扉１５について、扉を開く際には軽い力で楽に開放位置に移動でき、また扉を閉じる際には前傾したガイドレールに沿い加速しながら勢いよく閉位置に向けて移動する扉に利用客の手指が挟まれて怪我するのを防ぐために、スライド扉１５の後端に掛け止めしたワイヤを本体ケースの背面側に引き回してカウンターウエイトを吊り下げた構成が知られている（特許文献１参照）。
【０００４】
すなわち、図４において、スライド扉１５の後端に結合したワイヤ（可撓性の索条）３をガイドプーリ（滑車）４を介して本体ケースの背面側に引き回した上で、その先端にカウンターウエイト５を吊り下げ、このカウンターウエイト５の荷重がスライド扉１５に対して扉を開く方向に作用させるようにしている。
このカウンターウエイト５の機能は特許文献１にも詳しく述べられており、スライド扉１５を開放する場合には、扉の把手に軽い力を加えるだけで閉位置側のレール凹溝から脱出させて開放位置に移動操作することができる。また、スライド扉１５を開放位置から閉じる閉行程では、カウンターウエイト５の荷重がスライド扉１５に制動力を加えて扉の自閉（下降）速度を減速させるように作用する。これにより、ケース本体の前縁に掛けていた利用客の手指が閉位置に移動して来たスライド扉１５に挟まれて際の衝撃力を和らげて怪我するのを防ぐことができる。
【特許文献１】特開平４−６４３１２号公報（図２，図３）
【発明の開示】
【発明が解決しようとする課題】
【０００５】
前記のようにスライド扉１５にカウンターウエイト５を組合せることで、扉の開け，閉めを軽い力で安全に行うことができるものの、特許文献１に開示されている従来構造のままでは、長期使用中に機能面で次記のような問題点が発生する。
すなわち、図４で示すように、従来構造ではスライド扉１５の開閉ストロークの全域でカウンターウエイト５の荷重が常に掛かるように設定している。このために、全開位置に停止しているスライド扉を閉じる際に、カウンターウエイトの荷重が抵抗力となって扉のガイドローラをガイドレールの凹溝から脱出させる際に大きな力を要して操作性を低下させる。
また、店舗に据付けたショーケースを長期間使用すると、その間にスライド扉１５のガイドローラが損耗したり、ローラ，レールに塵埃が詰まるなどして扉の動きが多少鈍くなることがある。
【０００６】
このような状態になると、スライド扉１５にカウンターウエイト５を組合せた構成ではスライド扉の自閉機能が低下し、扉を閉じる際にガイドローラを開位置側のレール凹溝から脱出させただけでは自動的に全閉位置まで自閉走行せず、閉行程の途中で停止してしまうことがある。そのために、利用客は、スライド扉を全開位置から脱出させた後はスライド扉が全閉位置まで自閉走向するものと思って扉の把手から手を離したりすると、スライド扉１５が半開のまま停止してショーケースの保冷性能が低下してしまう。
本発明は上記の点に鑑みなされたものであり、その目的は前記課題を解決し、長期使用の間にスライド扉のガイドローラが損耗したり塵埃が詰まったりして扉の動きが多少鈍くなっても、スライド扉の自閉機能を確保しつつ、扉を閉じる際にはその閉行程の終端側でカウンターウエイトによる制動機能が有効に働くように改良して扉開閉動作の信頼性向上を図った平形ショーケースを提供することにある。
【課題を解決するための手段】
【０００７】
上記目的を達成するために、本発明によれば、上面開放形ケース本体の開口部にスライド扉を備えた平形ショーケースであって、前記スライド扉はその左右両サイドにガイドローラを備え、緩やかな前傾勾配を付けてケース本の上面開口部に敷設したガイドレールに沿って自閉可能に案内支持するとともに、スライド扉の後端に掛け止めしたワイヤを本体ケースの背面側に引き回してカウンターウエイトを吊り下げたものにおいて、前記カウンターウエイトの昇降経路の途中に着地ストッパを設けた上で、カウンターウエイトとスライド扉との間に張架したワイヤの実効長さを、スライド扉の閉行程の前半域ではワイヤに弛みをもたせてスライド扉にカウンターウエイトの制動荷重が掛からないような長さに調整し、スライド扉の後端部にカウンターウエイトとの間に張架したワイヤの実効長さを可変調整するために、スライド扉の後端縁にワイヤを通す案内具，および左右に位置を変えてワイヤの先端を掛止するワイヤ掛止具を備え、ワイヤの掛止位置を選択してワイヤの実効長さを調整する。
【発明の効果】
【０００８】
上記の構成により、スライド扉の全開位置ではカウンターウエイトがストッパの上に着地していてワイヤは弛んでおり、したがってカウンターウエイトの荷重はスライド扉に掛かってない。したがって、全開位置に停止しているスライド扉を閉じる際に、軽い力を加えるだけで扉のガイドローラをレール凹溝から脱出させることができてスライド扉の閉操作性が向上する。
また、スライド扉の閉行程ではワイヤの弛みが無くなる位置まではカウンターウエイトの制動荷重を受けずに前傾したガイドレールの勾配に沿って加速しながら閉位置に向けて自走するので、ローラの損耗，塵埃詰まりなどが原因で扉の動きが多少鈍くなっても、扉が経路の途中で停止してしまうことが防げる。そして、閉行程の後半で全閉位置に近づくとワイヤを介してカウンターウエイトの荷重が制動力として作用するようになので扉の自閉速度が減速される。これにより、利用客の手指がスライド扉に挟まれても怪我をするといったトラブルを安全に回避できる。
【発明を実施するための最良の形態】
【０００９】
以下、本発明の実施の形態を図１〜図３に示す実施例に基づいて説明する。なお、実施例の図中で図４に対応する部材には同じ符号を付してその説明は省略する。
すなわち、図示実施例の平形ショーケースでは、スライド扉１５の後端にワイヤ３を介して吊り下げたカウンターウエイト５に対し、図１，図２で示すように本体ケースの背面側で中段高さ位置にはカウンターウエイト５支える着地ストッパ１６を設けている。
一方、図３において、１５ａはスライド扉１５の前縁に設けた把手、１５ｂは扉枠の左右両サイドの前後に備えたガイドローラで、スライド扉１５はその開閉移動経路に沿って本体ケースの開口部に敷設したガイドレール１７に案内支持されている。また、スライド扉１５の後端部には前記ワイヤ３を通すリング状の案内具１５ｃ，および該案内具１５ｃの側方に位置を変えて横並びした複数の掛止具１５ｄを設け、前記案内具１５ｃを通してワイヤ３の先端に取付けたワイヤ掛止具（クリップ）３ａを選択した掛止具１５ｄに引っ掛けてワイヤ３の実効長（案内具１５ｃの位置からカウンターウエイト５までのワイヤ長さ）を次記のように可変調整するようにしている。
【００１０】
すなわち、図１に示したスライド扉１５の全開位置では、カウンターウエイト５がストッパ１６の上に着地してワイヤ３が弛み、図２に示す扉の全閉位置ではカウンターウエイト５が着地ストッパ１６から上方に引き上げられるようにし、全閉位置からから手前側の領域ｄでカウンターウエイト５の荷重がスライド扉１５に掛かるようにワイヤ３の実効長さを調整しておく。また、ショーケースの長期使用中に塵埃詰まりなどでスライド扉１５の動きが鈍くなった場合には、図３に示したワイヤ掛止具３ａの掛け止め位置を変更してワイヤ３の実効長を長めに設定し、扉の閉行程でカウンターウエイト５の制動荷重が掛かるタイミングを遅らして自閉走向の範囲を広げるように調整する。
上記の構成により、全開位置に停止しているスライド扉１５を閉じる際には、カウンターウエイト５の荷重が掛かってないので、軽い力を加えるだけで扉のガイドローラ１５ｂをガイドレール１６の凹溝から脱出させることができる。また、扉の閉行程の前半域ではワイヤ３が弛んでいるのでスライド扉１５はカウンターウエイト５の制動荷重を受けずにガイドレール１７の前傾勾配に沿って自走し、全閉位置に近づくとワイヤ３を介してカウンターウエイト５の荷重が加わって減速するようになる。
【００１１】
これにより、ショーケースの長期使用中にスライド扉１５の動きが多少鈍くなっても、カウンターウエイト５の荷重を受けて扉が閉路途中で停止することがなくなる。また、扉が全閉位置に近づくとカウンターウエイト５の制動荷重が加わって扉の自閉速度にブレーキが掛るようになり、万一手指が扉との間に挟まれて場合でもその衝撃力を和らげて怪我を安全に回避できる。
なお、図示実施例はペアフリーザーを例示したが、単体構造の平形ショーケースにおいても同様に実施適用できることは勿論である。
【図面の簡単な説明】
【００１２】
【図１】ペアフリーザーを例にした本発明実施例の構成断面図で、平形ショーケースのスライド扉の開放状態を表す図
【図２】図１でスライド扉の閉状態を表す図
【図３】図２におけるスライド扉およびその周辺部分の拡大平面図
【図４】ペアフリーザーを例にした従来における平形ショーケースの構成断面図
【符号の説明】
【００１３】
１    平形ショーケース
１１  ケース本体の外箱
１５  スライド扉
１５ｂ  ガイドローラ
１５ｃ  ワイヤ案内具
１５ｄ  ワイヤ掛止具
１６  着地ストッパ
１７  ガイドレール
３    ワイヤ
４    ガイドプーリ
５    カウンターウエイト
【図１】
0004793111.tif 000002
【図２】
0004793111.tif 000003
【図３】
0004793111.tif 000004
【図４】
0004793111.tif 000005